(57)【特許請求の範囲】
【請求項１】
燐酸もしくは硝酸のいずれか、あるいはその混合液に過酸化水素溶液を加え、さらに、燐酸カルシウムを溶かし込んで成ることを特徴とする骨の溶解剤。
【請求項２】
前記した燐酸はオルトリン酸としたことを特徴とする請求項１に記載の骨の溶解剤。
【請求項３】
前記した過酸化水素溶液は全体の５０〜９０％の量が加えられていることを特徴とする請求項１または請求項２に記載の骨の溶解剤。
【請求項４】
前記した過酸化水素溶液の濃度は１〜３０％としてあることを特徴とする請求項１、請求項２または請求項３に記載の骨の溶解剤。
【発明の詳細な説明】
【０００１】
【発明の属する技術分野】
本発明は溶解剤、特に無機物、有機物を問わず物体を溶かし消滅させ、その後処理も極めて容易な作業で済ませることのできる溶解剤に関する。
【０００２】
【発明の背景】
一般的に、廃棄物にはリサイクル可能なものと、不可能なものがあり、そのリサイクルが不可能なものの処理は焼却、埋め立て等がなされるが、単に投棄状態とされている場合も多い。その投棄状態をはじめ、焼却、埋め立ても空気中に飛散する煤煙、塵埃、悪臭のほか、人体に悪影響を与える化学物質の発生等を伴い大きな社会問題ともなっている。
【０００３】
また、通例我が国にあって火葬後の遺骨の処理に関しても、墓地や墓自体の価格高騰や土地の不足等から、近時は海等への散骨も考えられているが、遺骨の一部を収骨箱に収め、寺に保管、管理する形態も提唱されている。この場合の遺骨の残部処理も上記と同様な問題を抱えている。
【０００４】
【発明の目的】
そこで、本発明は上記した従来の実情、問題点に着目してなされたもので、係る問題点を解消して、リサイクルが不可能な廃棄物を環境的に何らの障害もなく溶解し、消滅させてしまうことができ、しかもその後処理も極めて容易なことで済む溶解剤を提供することを目的としている。
【０００５】
【課題を解決するための手段】
この目的を達成するために、本発明に係る骨の溶解剤は燐酸もしくは硝酸のいずれか、あるいはその混合液に過酸化水素溶液を加え、さらに、燐酸カルシウムを溶かし込んで成ることを特徴とし、前記した燐酸はオルトリン酸としたことを特徴とし、前記した過酸化水素溶液は全体の５０〜９０％の量が加えられていることを特徴とし、前記した過酸化水素溶液の濃度は１〜３０％としてあることを特徴としている。
【０００６】
【作用】
化学式ＰＯ4で表わされる燐酸、同じくＨＮＯ3で表わされる硝酸は共に強力な酸化剤であり、物質を酸化（腐蝕）させることができる。ここに更に弱酸性の過酸化水素水溶液を加えて、特性の安定化を図り、また、生体の骨や歯等の主成分ともなる燐酸カルシウム（Ｃａ（ＰＯ4）2）を加えることで触媒作用が得られ、この液体に物質を投入することで、その物質は短時間でその成分が分解され、液中に溶解してしまうこととなるのである。
【０００７】
【発明の実施の形態】
次に、本発明の実施の形態を説明する。まず、本実施の形態に係る溶解液は、この溶解液によっても溶解、腐蝕の反応が生ずることのないセラミック容器において作製され、収用されることとなる。
【０００８】
第一に燐酸ＰＯ4、特に通常燐酸と称されることの多いオルトリン酸Ｈ3ＰＯ4をベ−スとして使用した場合を説明する。燐酸は元来五酸化二リンＰ2Ｏ3が水和してできる酸であり、代表的なオルトリン酸は古くから知られる重要なリン化合物の一つであって、ショ糖類のリン酸エステルは光合成に関与し、核酸にはリン酸エステルが含まれ、生体内のエネルギ−代謝にはリン酸サイクルとして関与する。また、骨や歯の主成分はリン酸カルシウムと炭酸カルシウムの複塩であり、ＰＯ4が宿合した形態をもつ酸はス−パ−リン酸として強酸となる。
【０００９】
１００％の燐酸は水に容易に溶ける吸湿性の無色透明の結晶であり、本実施の形態ではこの１００％燐酸を水溶（５０〜９０％）のものを用いる。この％を高くすることで原液として、運搬の便宜を図ることもできる。
【００１０】
また、燐酸はＰＯ4基は四面体形をして水素結合でつながった構造となっており、提唱した水溶濃度（濃水液）ではこの構造が保たれ粘性が大きい。これが５０％以下の水溶液ではＰＯ4基は水分子との水素結合でとりまかれて粘性が小さくなってしまう。
【００１１】
ここで、オルトリン酸Ｈ3ＰＯ4は温度が上昇すると反応性が増加して石英等をも侵す特性を有しているもので、融解された燐酸は自己解離する。また、イオン電導性があり、加熱によって脱水してポリリン酸を与える。中程度の三塩基酸として作用する。
【００１２】
上記した燐酸に全体％の５０〜９０％量の過酸化水素Ｈ2Ｏ2溶液を加える。過酸化水素は油状の液で多様の物質が触媒となって容易に水と酸素に分解されるが、この接触を断って保存すると長く分解せず逆に燐酸をはじめとする物質の分解を妨げる安定剤として作用する。そして、分解時における酸素の放出により酸化力も有し、一方還元力も有し、物質から酸素を奪う特性も有する。
【００１３】
この燐酸と過酸化水素溶液の混合液に燐酸カルシウムＣａ（ＰＯ4）2を１０〜３０ｇ程度添加する。この燐酸カルシウムは白色粉末で水には難溶であるが酸にはよく溶ける特性をもっている。リン灰石として天然に産出されるが、植物の生長に必須であり、脊椎動物の骨や歯の主成分ともなっている。こうして得られた溶解液を１液とする。
【００１４】
次に、ベ−スとして硝酸ＨＮＯ3を用いた場合を説明する。濃硝酸は強力な酸化剤で塩酸を酸化し塩素を遊離させる。王水に金、白金が溶けるのはこの発生期の塩素の作用による。アルミニウム、鉄、クロム等は表面に不働態を作って反応しないが希硝酸には反応して溶ける。本実施の形態では５０〜９０％の濃度硝酸を用い、燐酸の場合と同様に％を高めることで運搬の便宜を図った原液とする。
【００１５】
硝酸はほとんどすべての金属と水溶性の塩をつくり、無水塩もつくるもので、その多くは昇華性がある。硝酸イオンは平面型構造をもち、遷移金属イオンには一座配位子、あるいは二座配位子として作用する。有機化合物に作用させるとニトロ基−ＮＯ2をもつニトロ化合物及び−ＯＮＯ2基をもつ硝酸エステルをつくる。この反応はニトロニウムイオンＮＯ2+によって生じる。
【００１６】
芳香族ニトロ化合物はアミノ化合物からさらにジアゾニウム塩を経て種々の化合物に変えることができる。キサントプロテイン反応はベンゼン環を有するアミノ酸あるいはそれらを含む蛋白質に対する呈色反応で、ベンゼン環がニトロ化されるためである。
【００１７】
また、硝酸塩は一般に吸湿性があり含水塩として存在する加熱によって酸素を放出して亜硝酸となるが重金属塩ではさらに加熱をつづけると二酸化窒素と金属酸化物となる。この硝酸塩は有機化合物や酸化されやすい金属との混合によって爆発性物質を生成する。
【００１８】
この硝酸にも１液の場合と同様に過酸化水素溶液を加え、燐酸カルシウムを添加して２液とする。
【００１９】
さらに、前記した燐酸と硝酸とを合わせ、この混合液を１液、２液の場合のベ−スと同量としてベ−スとし、このベ−スにやはり全体％の５０〜９０％の量となる過酸化水素溶液を加え、燐酸カルシウムを添加して３液とする。
【００２０】
この１〜３液を用いて、約１００ｇ程度の豚骨を用いて溶解実験をしたところ、１液にあっては完溶までに約１時間で済み、反応熱は３５℃程度であった。また、この１液は燐酸液をベ−スとしていることもあり、溶解後の液に粘性があった。２液の場合は硝酸をベ−スとしていることで完溶時間は約４５分で済むが反応熱は４０℃程度と高くなった。３液の場合は完溶時間が約５０分で反応熱は４０℃程度であった。なお、刺激臭はいずれの場合も無かった。
【００２１】
この実験結果から解るように、きわめて短時間での溶解がなされ、刺激臭もないことから周囲環境への悪影響もない。そして、目的とする物質の量や重さに関係なく最長でも２４時間以内には完溶してしまうことが実験済であり、対象物質も骨等のほか、生ごみをはじめブリキ、トタン等の金属あるいはセメント殻、布繊維等の無機物も溶解することが実験で判明している。なお、溶解後の液は自然蒸発であっても処理されてしまい、後処理に不安はない。加えて、対象物質を該溶解液に入れ、例えば太陽光線等の加熱エネルギ−を加えることでも一瞬の発火を伴ないその溶解性を高める。そして、溶解液の調合度合を変えることで通常リサイクル処理が不可能とされる物の大概を溶解可能なものとできる。
【００２２】
【発明の効果】
本発明に係る溶解液は上述のように構成される。そのため、ほとんどの廃棄物を溶解処理してしまうことができ、その作業にあって環境に対する悪影響を及ぼすこともない。また、原液状態での保管にあっても自然発熱反応もなく、使用時に刺激臭を伴なうこともない。そして、後処理も非常に容易なものとなり使用に際して危険性も少ないものとなっている。